(57)【要約】【課題】  ユーザに負担をかけることなく、タスクと当該タスクを遂行するために用いた文書とを関連付けて、タスクで用いた文書を特定できるようにする。【解決手段】  文書表示装置Ｔが表示部２（電子ペーパＥＰ）に文書の画像を表示したことに応じて、自装置の装置ＩＤと表示した文書の文書ＩＤとをサーバＳに提供する。サーバＳは、タスクの遂行に用いる文書表示装置Ｔを予め規定したタスクテーブルを備えており、提供された装置ＩＤに該当する文書表示装置Ｔをタスクテーブルで規定したタスクと提供された文書ＩＤに該当する文書とを関連付けし、タスクの遂行に用いた文書を特定する。【選択図】  図２
2007193405.tif 000002
【特許請求の範囲】
【請求項１】
文書の画像を表示する文書表示装置と、タスクを管理するタスク管理装置とを備え、文書表示装置を用いて遂行したタスクに係る文書を特定するタスク分析システムであって、
前記文書表示装置は、自装置を識別する装置識別情報を保持しており、
前記タスク管理装置は、
タスクの遂行に用いる文書表示装置の装置識別情報を予め規定したタスク対応付け手段と、
文書表示装置に文書の画像が表示されたことに応じて、当該文書表示装置の装置識別情報と当該文書を識別する文書識別情報とを取得する取得手段と、
タスクの遂行に用いた文書を、当該タスクについてタスク対応付け手段で規定された文書表示装置の装置識別情報に対応して取得した文書識別情報に基づいて特定するタスク分析手段と、
を備えたことを特徴とするタスク分析システム。
【請求項２】
請求項１に記載のタスク分析システムにおいて、
前記文書表示装置は、文書の画像を表示したことに応じて、自装置の装置識別情報と当該文書の文書識別情報とを前記タスク管理装置に提供する提供手段を備え、
前記取得手段が取得する装置識別情報及び文書識別情報は、前記提供手段により提供された装置識別情報及び文書識別情報であることを特徴とするタスク分析システム。
【請求項３】
請求項２に記載のタスク分析システムにおいて、
前記文書表示装置は、前記提供手段を有する処理部と当該処理部に分離可能に接続されて文書の画像を無電源状態で表示保持する表示部とを備え、
前記処理部は、接続された表示部に文書の画像を表示させる表示手段を備え、
前記提供手段は、接続された表示部に文書の画像が表示されたことに応じて、自装置の装置識別情報と当該文書の文書識別情報とを前記タスク管理装置に提供することを特徴とするタスク分析システム。
【請求項４】
請求項１に記載のタスク分析システムにおいて、
前記文書表示装置は、文書の画像を無電源状態で表示保持する表示部と自装置の装置識別情報を記憶保持する記憶部とを有する電子ペーパであり、
前記タスク分析システムは、電子ペーパに対する処理を行う電子ペーパプリンタを備えており、
前記電子ペーパプリンタは、
電子ペーパの表示部に文書の画像を表示させる書込手段と、
電子ペーパの記憶部から装置識別情報を読み取る読取手段と、
電子ペーパの表示部に文書の画像を書き込んだことに応じて、当該電子ペーパの記憶部から読み取った装置識別情報と当該文書の文書識別情報とを前記タスク管理装置に通知する通知手段と、を備え、
前記取得手段が取得する装置識別情報及び文書識別情報は、前記通知手段により通知された装置識別情報及び文書識別情報であることを特徴とするタスク分析システム。
【請求項５】
請求項１乃至請求項４のいずれか１項に記載のタスク分析システムにおいて、
前記タスク管理装置は、取得した装置識別情報と文書識別情報とを対応付けたログを蓄積保持するログ蓄積手段を備え、
前記タスク分析手段は、タスクの遂行に用いた文書を、当該タスクについてタスク対応付け手段で規定された文書表示装置の装置識別情報に対応付けられた文書識別情報を前記ログ蓄積手段のログを参照して特定することを特徴とするタスク分析システム。
【請求項６】
自装置を識別する装置識別情報を保持した文書表示装置から取得する情報に基づいて、タスクの遂行に用いた文書を特定するタスク管理装置であって、
タスクの遂行に用いる文書表示装置の装置識別情報を予め規定したタスク対応付け手段と、
文書表示装置に文書の画像が表示されたことに応じて、当該文書表示装置の装置識別情報と当該文書の文書識別情報とを取得する取得手段と、
タスクの遂行に用いた文書を、当該タスクについてタスク対応付け手段で規定された文書表示装置の装置識別情報に対応して取得した文書識別情報に基づいて特定するタスク分析手段と、
を備えたことを特徴とするタスク管理装置。
【請求項７】
タスクの遂行に用いた文書を特定するタスク管理装置に対して情報を提供する文書表示装置であって、
タスク管理装置が、タスクの遂行に用いる文書表示装置の装置識別情報を予め規定して、当該文書表示装置に表示された文書を識別する文書識別情報に基づいて、タスクの遂行に用いた文書を特定するために、自装置に文書の画像を表示したことに応じて、自装置の装置識別情報と当該文書の文書識別情報とをタスク管理装置に提供する提供手段を備えたことを特徴とする文書表示装置。
【請求項８】
自装置を識別する装置識別情報を保持した文書表示装置から取得する情報に基づいて、タスクの遂行に用いた文書を特定するタスク管理装置を、コンピュータに実行させることにより構成するプログラムであって、
タスクの遂行に用いる文書表示装置の装置識別情報を予め規定させるタスク対応付け機能と、
文書表示装置に文書の画像が表示されたことに応じて、当該文書表示装置の装置識別情報と当該文書の文書識別情報とを取得する取得機能と、
タスクの遂行に用いた文書を、当該タスクについてタスク対応付け手段で規定された文書表示装置の装置識別情報に対応して取得した文書識別情報に基づいて特定するタスク分析機能と、
を備えたことを特徴とするタスク分析プログラム。
【請求項９】
文書の画像を表示する文書表示装置と、タスクを管理するタスク管理装置とを備え、文書表示装置を用いて遂行したタスクに係る文書を特定するタスク分析システムにより実施される方法であって、
前記文書表示装置は、自装置を識別する装置識別情報を保持しており、
前記タスク管理装置は、タスク対応付け手段と、取得手段と、タスク分析手段と、を備え、
前記タスク対応付け手段が、タスクの遂行に用いる文書表示装置の装置識別情報を予め規定しておき、
前記取得手段が、文書表示装置に文書の画像が表示されたことに応じて、当該文書表示装置の装置識別情報と当該文書を識別する文書識別情報とを取得し、
前記タスク分析手段が、タスクの遂行に用いた文書を、当該タスクについてタスク対応付け手段で規定された文書表示装置の装置識別情報に対応して取得した文書識別情報に基づいて特定することを特徴とするタスク分析方法。
【発明の詳細な説明】
【技術分野】
【０００１】
本発明は、タスクと当該タスクの遂行に用いる文書表示装置とを予め対応付けておくことで、タスクの遂行に用いた文書を特定する技術に関する。
【背景技術】
【０００２】
従来、或る結果を得るために定められたタスク（例えば、業務、作業など、用途、目的等を持った仕事の単位）と当該タスクの遂行に用いた文書とを関連付けすることが試みられており、例えば、新規にタスクを開始する場合にはタスクを行うための電子的な作業環境であるワークスペースを開設し、タスクの遂行に用いる文書をユーザがワークスペースに格納することでタスクと文書との関連付けを行う。
このように、タスクと文書とを関連付けすることで、タスクを遂行するためにどの文書を用いたかを特定することができ、例えば、類似するタスクで用いる文書を選定するための参考とすることができる。
【０００３】
また、文書を取り扱う発明として、文書の作成や利用の過程において生ずる様々なできごとを広範囲に管理し、文書の作成と文書を通じてのコミュニケーションとを支援するために、電子表現した文書を仮想ペーパ（紙に該当する部分）とコンテント（紙の上に配置された情報）とに分けて捉え、これに対応して、仮想ペーパを舞台に繰り広げられるインタラクションを管理するとともに、当該インタラクションに対応する処理とコンテントの種類に依存しない処理とを実行するメタペーパ部と、コンテントの種類に依存する処理を行うコンテント処理部と、を備えた構成とした文書処理装置が提案されている（特許文献１参照。）。
【特許文献１】特開平７−１２１５２９号公報。
【発明の開示】
【発明が解決しようとする課題】
【０００４】
上記例示したタスクと文書との関連付け方法では、ユーザが文書をワークスペースへ格納することでタスクと文書との関連付けを行うため、関連付けする文書数が多くなるに従ってユーザへの負担が大きくなる。
また、例えば、或るタスクにおいて参考にするために閲覧した文書のように本来はタスクに関係がある文書であっても、その関係性をユーザが認識していない文書はワークスペースに格納されないためにタスクと関連付けられず、タスクで用いた文書として特定することができないという問題がある。
【０００５】
本発明は、上記従来の事情に鑑みなされたものであり、ユーザに負担をかけることなく、タスクと当該タスクを遂行するために用いた文書とを関連付けて、タスクで用いた文書を特定できるようにすることを目的としている。
【課題を解決するための手段】
【０００６】
本発明は種々の態様にて実施することができ、その一態様として、文書の画像を表示する文書表示装置と、タスクを管理するタスク管理装置とを備えたタスク分析システムにより実施される。
文書表示装置は、自装置を識別する装置識別情報を保持しており、タスク管理装置は、タスク対応付け手段と、取得手段と、タスク分析手段と、を備えている。そして、タスク対応付け手段が、タスクの遂行に用いる文書表示装置の装置識別情報を予め規定しておき、取得手段が、文書表示装置に文書の画像が表示されたことに応じて、当該文書表示装置の装置識別情報と当該文書を識別する文書識別情報（文書ＩＤ、ＵＲＬ等）を取得し、タスク分析手段が、タスクの遂行に用いた文書を、当該タスクについてタスク対応付け手段で規定された文書表示装置の装置識別情報に対応して取得した文書識別情報に基づいて特定する。
【０００７】
すなわち、タスクの遂行に用いる文書表示装置がタスク対応付け手段に予め規定されており、文書表示装置に表示された文書がタスク対応付け手段によってタスクと関連付けられるため、タスクの遂行に用いた文書を特定することができる。
【０００８】
タスク分析システムで用いる文書表示装置は、文書の画像を表示したことに応じて、自装置の装置識別情報と当該文書の文書識別情報とをタスク管理装置に提供する提供手段を備えていればよく、タスク管理装置は、提供されたこれら情報に従って、タスクで文書を特定できる。なお、提供手段は、有線或いは無線通信のいずれで実現してもよく、また、読み取り装置からの受信電波を駆動電力として受動的な無線通信を行うＲＦＩＤを用いてもよい。
【０００９】
文書表示装置としては、モバイルＰＣやＰＤＡ等の携帯情報端末を用いることができる他、例えば、文書の画像を無電源状態で表示保持する電子ペーパが交換可能に接続されて、当該電子ペーパに文書の画像を書き込んで表示させる装置を用いてもよい。
すなわち、文書表示装置は、提供手段を有する処理部と当該処理部に分離可能に接続されて文書の画像を無電源状態で表示保持する表示部（電子ペーパ）とを備え、処理部は、接続された表示部に文書の画像を表示させる表示手段を更に備え、提供手段が、接続された表示部に文書の画像が表示されたことに応じて、自装置の装置識別情報と当該文書の文書識別情報とをタスク管理装置に提供する。
【００１０】
また、文書表示装置として、文書の画像を無電源状態で表示保持する表示部と自装置の装置識別情報を記憶保持する記憶部とを有する電子ペーパを用いてもよく、この場合は、電子ペーパに対する処理を行う電子ペーパプリンタをタスク分析システムに更に備える。
電子ペーパプリンタは、電子ペーパの表示部に文書の画像を表示させる書込手段と、電子ペーパの記憶部から装置識別情報を読み取る読取手段と、電子ペーパの表示部に文書の画像を書き込んだことに応じて、当該電子ペーパの記憶部から読み取った装置識別情報と当該文書の文書識別情報とをタスク管理装置に通知する通知手段と、を備えており、タスク管理装置は、提供されたこれら情報に従って、タスクで用いた文書を特定できる。
【００１１】
また、タスク管理装置に、取得した装置識別情報と文書識別情報とを対応付けたログを蓄積保持するログ蓄積手段を更に備え、タスク分析手段が、タスクの遂行に用いた文書を、当該タスクについてタスク対応付け手段で規定された文書表示装置の装置識別情報に対応付けられた文書識別情報をログ蓄積手段のログを参照して特定するようにしてもよい。
これにより、事後に任意のタイミングで、タスクの遂行に用いた文書を特定できるようになる。
【００１２】
本発明は、上述したようなタスク分析システムのほかに、タスク分析システムにより実施される方法、タスク分析システムを構成するタスク管理装置、タスク管理装置をコンピュータにより構成するプログラム、タスク分析システムを構成する文書表示装置、等の種々な態様で実現できる。
【発明の効果】
【００１３】
タスクの遂行に用いる文書表示装置がタスク対応付け手段に予め規定されており、文書表示装置に表示された文書がタスク対応付け手段によってタスクと関連付けられるため、タスクの遂行に用いた文書を特定することができるようになる。
したがって、ユーザが、タスクについて規定された文書表示装置で文書を表示するという簡単な操作でタスクと文書とが関連付けられるため、ユーザに負担がかからない。
【発明を実施するための最良の形態】
【００１４】
本発明を実施例に基づいて具体的に説明する。
図１には、本発明の一例に係るタスク分析システムの全体構成例が示してある。
本例のシステムは、複数の文書を管理する文書管理ＤＢ１３を備えるサーバ（タスク管理装置）Ｓと、サーバＳとの情報通信を行う複数の文書表示装置Ｔとで構成されている。本例では、サーバＳと各文書表示装置Ｔとは互いに無線により通信しているが、これらをネットワークケーブルで接続して通信するようにしてもよい。
【００１５】
本例の文書表示装置Ｔは、処理部と当該処理部に分離可能に接続される表示部（電子ペーパＥＰ）とで構成されている。
電子ペーパＥＰは用紙の如く柔軟な薄型で画像を無電源状態で表示保持することができる表示媒体であり、文書表示装置Ｔの処理部にバインダのように着脱自在に接続することができ、例えば、文書画像を書き込んだ電子ペーパＥＰを取り外して他のユーザに渡したり、他のユーザから受け取った電子ペーパＥＰを文書表示装置Ｔに取り付けたりして文書の共有化を図ることができる。
【００１６】
図２には、本例のタスク分析システムを構成する各装置が備える機能を示してある。
文書表示装置Ｔは、上述したように、処理部１と表示部２（電子ペーパＥＰ）とで構成されており、処理部１と表示部２とは、処理部１が有する接続部６と電子ペーパＥＰが有する接続部３とによって接続される。
【００１７】
処理部１は、上述した接続部６の他に、サーバＳと無線通信するための無線部５、電子ペーパＥＰを制御して表示部２を書き換えるドライバ７、電子データを読み書き自在に保持するメモリ８、電子データの処理を行うプロセッサ９、プロセッサ９等の機能手段に動作電力を供給するバッテリ１０、ユーザ操作を受け付ける操作部１１を備えている。メモリ８には、文書表示端末Ｔの識別情報である装置ＩＤが保持されており、表示部２に文書の画像を書き込み表示させたことに応じて、プロセッサ８による制御の下で装置ＩＤと当該文書を識別する文書ＩＤとをサーバＳに送信する。
【００１８】
サーバＳは、各文書表示装置Ｔと無線通信するための無線部１２（取得手段）、複数の文書を格納管理する文書管理ＤＢ１３、文書表示装置Ｔから取得した装置ＩＤと文書ＩＤとを対応付けたログを生成するログ生成手段１４、生成されたログを蓄積保持するログ蓄積手段１５、タスクの遂行に用いる文書表示装置Ｔを予め規定したタスクテーブル１６（タスク対応付け手段）、タスクの遂行に用いた文書を特定するタスク分析手段１７、特定された文書に係る情報を出力する出力手段１８を備えており、機能手段１４〜１７は本発明に係るプログラムをコンピュータに実行させることで構成されている。
【００１９】
文書管理ＤＢ１３は、文書を識別する文書ＩＤと、対応する文書データとを対応付けて管理しており、要求された文書ＩＤに対応する文書データを要求元の文書表示装置Ｔに提供する。本例では、サーバＳが文書管理ＤＢ１３を備えているが、本システムにネットワーク接続された他のサーバに文書管理ＤＢ１３を備えるようにしてもよい。
【００２０】
タスクテーブル１６は、図３（ａ）に示してあるような対応関係を予め規定しており、タスク“ｔ１”の遂行には装置ＩＤが“Ａ”又は“Ｂ”の文書表示装置Ｔ、タスク“ｔ２”の遂行には装置ＩＤが“Ｃ”の文書表示装置Ｔ、タスク“ｔ３”の遂行には装置ＩＤが“Ｄ”の文書表示装置Ｔ、を用いることが規定されている。ユーザが新規にタスクを作成すると、新規なタスクに使用する文書表示装置Ｔを選択するように促され、タスクと装置ＩＤとの対応関係がタスクテーブル１６に新たに作成される。タスク終了時には、当該タスクとの対応関係がタスクテーブル１６から削除されて該当する文書表示装置Ｔが開放され、他のタスクで使用可能な状態に戻る。
【００２１】
まず、本例の文書表示装置Ｔにおける表示部２（電子ペーパＥＰ）への文書画像の書き込みについて説明する。
本例では、文書表示装置Ｔの処理部１による制御の下で電子ペーパＥＰ自体が表示画像を書き換える自己書き込み型の電子ペーパＥＰを用いている。
自己書き込み型電子ペーパＥＰは、例えば、ＪＩＳ規格で規定されるカードやＡ４版の用紙のような大きさのフレキシブルな薄型であり、用途に応じた大きさのものとされる。
【００２２】
文書表示装置Ｔの処理部１は、サーバＳから無線部５により受信した文書データをメモリ８に保持しており、プロセッサ９が、メモリ８に保持している文書データに基づいて文書の画像データを生成し、電子ペーパＥＰが接続部６に接続された状態でドライバ７を駆動し、画像データに応じて電子ペーパＥＰの表示部２に設けられた電極を制御して文書画像を書き込み表示させる。電子ペーパＥＰは、ドライバ７の駆動電力を除去しても表示部２に画像を表示状態で保持し続ける機能を有しているため、処理部１から分離されても画像が保持される。
【００２３】
電子ペーパＥＰは、表示部２の断面構造を表す図６に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２４】
そして、電子ペーパＥＰは、表示部２の動作原理を表す図５に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部２を表面側から目視すると表示部２は黒色な状態となる。そして、電子データに基づいて処理部１のドライバ７により電極３３が制御されて、表示する画像に応じたマトリックスの所要部の電極３３の極性を反転されると、白色粒子３１と黒色粒子３２との位置関係が入れ替わって、表示部２に白色粒子３１と黒色粒子３２とのコントラストによる画像が表示される。なお、異なる画像データに基づいて電極３３を動作させることにより、白色粒子３１と黒色粒子３２とのコントラストにより表示部２に表示される画像情報を切り換えることができ、幾度も再使用することができる。
【００２５】
本例のタスク分析システムでは、このようにして文書表示装置Ｔの表示部２（電子ペーパＥＰ）に文書の画像を表示させたことに応じて、タスクと文書とが関連付けられて、タスクで用いた文書が特定できるようになる。
【００２６】
すなわち、文書表示装置Ｔは、電子ペーパＥＰに文書の画像を表示させると、メモリ８に記憶保持している当該文書表示装置Ｔの装置ＩＤと表示部２に書き込んだ文書の文書ＩＤとを無線部８によりサーバＳに提供する。サーバＳは、無線部１２で装置ＩＤと文書ＩＤとを取得すると、タスク分析手段１７が、タスクテーブル１６で規定されたタスクと文書表示装置Ｔとの関係に基づいて、取得した装置ＩＤが当該タスクに関係付けられた文書表示装置Ｔのものであれば、取得した文書ＩＤに該当する文書が当該タスクの遂行に用いられたものと特定する。
このように、ユーザが、タスクについて規定された文書表示装置Ｔに文書を表示するという簡単な操作で、タスクと当該タスクで用いた文書とが自動的に関係付けられて、タスクの遂行に用いた文書として特定される。
【００２７】
また、無線部１２で取得した装置ＩＤ及び文書ＩＤは、ログ生成手段１４によって対応付けられてログ蓄積手段１５にログとして蓄積されるため、タスク分析手段１７が当該ログを参照して、事後の任意のタイミングでタスクの遂行に用いた文書を特定できる。
例えば、図３（ａ）に示したような対応関係がタスクテーブル１６に規定されている場合には、タスク“ｔ１”には装置ＩＤが“Ａ”又は“Ｂ”の文書表示装置Ｔを用いることが規定されているため、装置ＩＤが“Ａ”のログに記録された文書ＩＤに該当する文書、及び、装置ＩＤが“Ｂ”のログに記録された文書ＩＤに該当する文書が、タスク“ｔ１”の遂行に用いた文書であると特定される。
【００２８】
特定されたタスク遂行に用いた文書の情報は、出力手段１８により出力される。例えば、タスク毎に当該タスクで用いた文書名を一覧表示して、本システムにネットワーク接続された情報処理装置のディスプレイに表示出力したり、プリンタを用いて用紙に印刷出力したりすることができる。また、例えば、文書の表示日時をログに記録しておくことで、表示日時順に一覧表示したり、表示回数の多い順に一覧表示したりすることができる。
したがって、ユーザは出力手段１８により出力された内容を確認することで、例えば、或るタスクを遂行するに際して、当該タスクに類似する過去の実施タスクで用いた文書一覧を表示して、当該タスクで用いる文書を選定するための参考にするといったことが行えるようになる。
【００２９】
本例の文書表示装置Ｔは、表示部２（電子ペーパＥＰ）が交換可能であるため、文書の画像が表示された電子ペーパＥＰが文書表示装置Ｔの処理部１に接続されたことを以って、当該文書表示装置Ｔに文書が表示されたと判断して、サーバＳに装置ＩＤと文書ＩＤとを提供するようにしてもよい。
【００３０】
すなわち、図２に破線で示してあるように、電子ペーパＥＰに、当該電子ペーパＥＰの識別情報であるＥＰＩＤと当該電子ペーパＥＰが表示している文書の文書ＩＤとを記憶保持するメモリ４を設けておく。そして、文書表示装置Ｔの処理部１に当該電子ペーパＥＰが接続されたことに応じて、処理部１がメモリ４からＥＰＩＤ及び文書ＩＤを読み取ってサーバＳに提供する。なお、電子ペーパＥＰのメモリ４が記憶保持する文書ＩＤは、文書表示装置Ｔが当該電子ペーパＥＰに文書の画像を書き込み表示させた際に記憶させておけばよい。
【００３１】
また、図３（ｂ）に示すようにタスクと電子ペーパＥＰとの関係をタスクテーブル１６に規定してもよい。
同図によると、タスク“ｔ１”の遂行にはＥＰＩＤが“ａ１”、“ａ２”、“ａ３”の電子ペーパＥＰ、タスク“ｔ２”の遂行にはＥＰＩＤが“ｂ１”の電子ペーパＥＰ、タスク“ｔ３”の遂行にはＥＰＩＤが“ｂ２”、“ｂ３”の電子ペーパＥＰ、を用いることが予め規定されている。
【００３２】
このときは、図２に破線で示してあるように、電子ペーパＥＰに当該電子ペーパＥＰのＥＰＩＤを記憶保持するメモリ４を設けておき、文書表示装置Ｔの処理部１が、接続された電子ペーパＥＰに文書の画像を書き込み表示させた際に、メモリ４からＥＰＩＤを読み取って当該文書の文書ＩＤとともにサーバＳに提供する。
サーバＳのタスク分析手段１７は、提供されたＥＰＩＤ及び文書ＩＤとタスクテーブル１６とを用いて、タスクと文書とを関係付けてタスクの遂行に用いた文書を特定する。
【００３３】
このようにタスクと電子ペーパＥＰとの関係を予め規定しておくことで、電子ペーパＥＰを交換することでタスクが切り換えることができ、文書表示装置Ｔに接続する電子ペーパＥＰの交換により複数のタスクを実施できるようになる。
【００３４】
本例では、処理部１と当該処理部１に分離可能に接続される表示部２（電子ペーパＥＰ）とで構成された装置を文書表示装置Ｔとして用いたが、文書表示装置Ｔは、文書の画像を表示したことに応じて装置ＩＤと文書ＩＤとをサーバＳに提供できればよく、例えば、モバイルＰＣやＰＤＡ等の携帯情報端末を文書表示装置Ｔに用いてもよい。
また、文書表示装置Ｔで文書を作成したり編集したりしたことに応じて、装置ＩＤと文書ＩＤとをサーバＳに提供するようにしてもよい。
【００３５】
次に、本発明の他の実施例について説明する。
本例のタスク分析システムは、図４に示すように、電子ペーパＥＰと当該電子ペーパＥＰに対する処理を行う電子ペーパプリンタＰとサーバ（タスク管理装置）Ｓとで構成されている。なお、サーバＳの各機能については、図２を用いて説明したものと同じであるため割愛する。
【００３６】
電子ペーパＥＰは、文書の画像を無電源状態で表示保持する表示部２と、当該電子ペーパＥＰのＥＰＩＤを記憶保持する記憶部２１とで構成されており、本例では、データを無線通信する機能とデータを記憶する機能とを比較的簡単な構成で備えた公知のＲＦＩＤを、記憶部２１として用いている。
【００３７】
電子ペーパプリンタＰは、サーバＳと通信するための通信手段２２、電子ペーパＥＰに書き込む文書の画像を生成する画像生成手段２３、生成された文書の画像を電子ペーパＥＰの表示部２に書き込み表示させる書込手段２４、電子ペーパＥＰの記憶部２１から無線によりＥＰＩＤを読み取る無線部２５、を備えている。
【００３８】
電子ペーパプリンタＰは、書込手段２４で電子ペーパＥＰの表示部２に文書の画像を書き込み表示させたことに応じて、無線部２５で電子ペーパＥＰの記憶部２１から読み取ったＥＰＩＤを表示部２に表示させた文書の文書ＩＤとともに、通信手段２２によりサーバＳに通知する。サーバＳでは、通知されたＥＰＩＤ及び文書ＩＤとタスクテーブル１６とを用いて、タスクと文書とを関連付けてタスクの遂行に用いた文書を特定する。
【００３９】
本例のタスク分析システムで用いるタスクテーブル１６は、図３（ｂ）に示したように、タスクと電子ペーパＥＰとの関係を予め規定しており、タスクについて予め規定された電子ペーパＥＰに表示された文書が当該タスクの遂行に用いた文書として特定される。
【００４０】
本例では、転写書き込み型の電子ペーパＥＰの一形態である、光書き込み型電子ペーパＥＰを用いており、図７〜図９を用いて光書き込み型電子ペーパＥＰへの画像書き込みについて説明する。
光書き込み型電子ペーパＥＰは、例えば、ＪＩＳ規格で規定されるカードやＡ４版の用紙のような大きさのフレキシブルな薄型であり、大部分の面積を占める表示部４２（図４の表示部２に対応）の一片に処理部４３が設けられている。なお、表示部４２の大きさは用途に応じた大きさのものとされる。
そして、処理部４３には、前述した記憶部２１と、表示部４２を駆動する電圧を印加するための書き込み用電極４４とが設けられている。
【００４１】
光書き込み型電子ペーパＥＰは、例えば、図７に示すように液晶パネル４９に書き込もうとする画像を表示し、電極４４に外部電源から電圧を印加しながら光書き込み型電子ペーパＥＰを液晶パネル４９に重ねて光を照射することにより、液晶パネル４９に表示させた画像を表示部４２に転写して記憶させることができる。要は、光書き込み型電子ペーパＥＰは電極４４に電圧を印加することで投影された画像を表示部４２に転写し、電極４４に印加した電圧を除去した後も当該画像を表示状態で保持し続ける機能を有している。
なお、電子ペーパプリンタＰの書込手段２４は、このような光書き込み型電子ペーパＥＰへの画像書き込みのために、電極４４への電圧印加部、液晶パネル４９、光照射部といった光書き込みに必要な手段を備えている。
【００４２】
光書き込み型電子ペーパＥＰは、表示部４２の断面構造を表す図９に示すように、複写機に利用されている有機光導電性材料の層（有機光導電層）５０と液晶表示材料の層（マイクロカプセル化したコレステリック液晶層）５１とを組み合わせ、これら層を表裏一対の透明電極５２で挟み、この積層体を表裏一対の透明な基材フィルム５３で挟んだ構造となっている。なお、この構成では、コレステリック液晶層５１が光を反射する白表示と、光が液晶層５１を透過しコレステリック液晶層５１と有機光導電層５０との間に設けられた黒色層５４で吸収される黒表示のモノクロ画像表示が可能である。さらにコレステリック液晶には螺旋ピッチに応じたカラー光を干渉反射するという特性があるので、コレステリック液晶層５１を螺旋ピッチの異なる液晶を積層した構成にすることにより、簡単な構造でカラー表示を実現することも可能である。
【００４３】
そして、光書き込み型電子ペーパＥＰは、表示部４２の動作原理を表す図８に示すように、例えば画像書込み用の調光素子パネル（発光パネル）４９に転写する画像を表示して画像保持部４２に投影し、電極４４に電圧を印加すると、光の強弱を瞬時に反射濃度に変換して当該投影画像を保持する。そして、電極４４に消去電圧を印加することにより表示部４２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極４４に電圧を印加して新たな画像を投影することにより、表示部４２に保持されている画像情報を上書きすることもでき、このような上書き処理によっても幾度も再使用することができる。
【００４４】
また、転写書き込み型の電子ペーパＥＰの他の例として、表示部４２を公知の熱転写構造として、電子ペーパプリンタＰに備えられた熱転写部によって画像を表示部４２に熱転写して表示保持させるものもあり、このような電子ペーパＥＰを用いてタスク分析システムを構成してもよい。
また、図５及び図６を用いて説明した自己書き込み型電子ペーパＥＰを用いてタスク分析システムを構成してもよい。
【図面の簡単な説明】
【００４５】
【図１】本発明の一実施例に係るタスク分析システムの概要図である。
【図２】本発明の一実施例に係るタスク分析システムの機能構成図である。
【図３】本発明の一実施例に係るタスクテーブルの一例を示す図である。
【図４】本発明の他の実施例に係るタスク分析システムの機能構成図である。
【図５】自己書き込み型電子ペーパの動作原理を説明する図である。
【図６】自己書き込み型電子ペーパの構造を説明する図である。
【図７】転写書き込み型電子ペーパの使用方法を説明する図である。
【図８】転写書き込み型電子ペーパの動作原理を説明する図である。
【図９】転写書き込み型電子ペーパの構造を説明する図である。
【符号の説明】
【００４６】
１：処理部、  ２：表示部、
１３：文書管理ＤＢ、  １４：ログ生成手段、
１５：ログ蓄積手段、  １６：タスクテーブル、
１７：タスク分析手段、  １８：出力手段、
Ｓ：サーバ、  Ｔ：文書表示装置、
ＥＰ：電子ペーパ、  Ｐ：電子ペーパプリンタ
【図１】
2007193405.tif 000003
【図２】
2007193405.tif 000004
【図３】
2007193405.tif 000005
【図４】
2007193405.tif 000006
【図５】
2007193405.tif 000007
【図６】
2007193405.tif 000008
【図７】
2007193405.tif 000009
【図８】
2007193405.tif 000010
【図９】
2007193405.tif 000011